【手続補正書】
【提出日】平成17年2月28日(2005.2.28)
【手続補正１】
【補正対象書類名】明細書
【補正対象項目名】発明の名称
【補正方法】変更
【補正の内容】
【発明の名称】画像表示装置
【手続補正２】
【補正対象書類名】明細書
【補正対象項目名】特許請求の範囲
【補正方法】変更
【補正の内容】
【特許請求の範囲】
【請求項１】
画像表示装置において、
映像信号の色相を調整可能な第１調整手段と、
映像信号における赤、青、緑の原色レベルのうち、少なくとも一つを調整可能な第２調整手段と、
表示画像の色調整をするための手段として、前記第１調整手段及び前記第２調整手段の少なくともいずれかを選択するための手段と、を備え、
前記第１調整手段及び前記第２調整手段のうち、前記選択された調整手段を用いて表示画像の色調整を可能としたことを特徴とする画像表示装置。
【請求項２】
画像表示装置において、
映像信号から色相信号を生成するための色相信号生成手段と、
前記色相信号生成手段によって生成された色相信号を調整可能な第１調整手段と、
映像信号における赤、青、緑の原色レベルのうち、少なくとも一つを調整可能な第２調整手段と、
表示画像の色調整を行うための手段として、前記第１調整手段及び前記第２調整手段の少なくともいずれかを選択するための手段と、を備え、
前記第１調整手段及び前記第２調整手段のうち、前記選択された調整手段を用いて表示画像の色調整を可能としたことを特徴とする画像表示装置。
【請求項３】
請求項２に記載の画像表示装置において、前記第１の調整手段は、前記色相信号生成手段で生成された色相信号のうち、所定色相範囲内にある色相信号を調整可能であることを特徴とする画像表示装置。
【請求項４】
請求項１乃至３のいずれかに記載の画像表示装置において、更に、前記第１調整手段で色相が調整された信号をＲＧＢ３原色信号に変換する変換手段を備え、
前記第２調整手段は、前記変換手段から出力された３原色信号のそれぞれを個別に調整可能であることを特徴とする画像表示装置。
【請求項５】
請求項１乃至４のいずれかに記載の画像表示装置において、更に、前記映像信号の彩度を調整可能な第３調整手段を備えることを特徴とする画像表示装置。
【請求項６】
請求項１乃至５のいずれかに記載の画像表示装置において、更に、前記映像信号の輝度を調整可能な第４調整手段を備えることを特徴とする画像表示装置。
【請求項７】
画像表示装置において、
映像信号から色相信号を生成するための色相信号生成手段と、
前記色相信号生成手段によって生成された色相信号を用いて、映像信号が所望色相範囲にあるか判定する判定手段と、
前記検出手段によって映像信号が所望色相範囲にあると判定された場合に、その所望色相範囲にある色相信号を調整可能な第１調整手段と、
映像信号における赤、青、緑の各色のレベルを調整可能な第２調整手段と、
を備えることを特徴とする画像表示装置。
【請求項８】
請求項７に記載の画像表示装置において、更に、表示画像の色調整をするための手段として、前記第１調整手段及び前記第２調整手段の少なくともいずれかを選択するための手段と、を備え、
前記第１調整手段及び前記第２調整手段のうち、前記選択された調整手段を用いて表示画像の色調整を可能としたことを特徴とする画像表示装置。
【請求項９】
請求項７または８に記載の画像表示装置において、更に、前記所望色相範囲にある彩度を調整可能な第３調整手段を備えることを特徴とする画像表示装置。
【請求項１０】
請求項７または８に記載の画像表示装置において、更に、前記映像信号から彩度信号を生成する彩度信号生成手段と、該彩度信号生成手段で生成された彩度信号のうち、前記所望色相範囲にある彩度信号を調整可能な第３調整手段を備えることを特徴とする画像表示装置。
【請求項１１】
請求項７乃至１０記載の画像表示装置において、更に、前記第１の調整手段で調整された色相信号を用いてＲＧＢ３原色信号に変換する変換手段を備え、
前記第２調整手段は、該変換手段からのＲＧＢ３原色信号のそれぞれを個別に調整可能であることを特徴とする画像表示装置。
【請求項１２】
画像表示装置において、
映像信号から色相信号を生成するための色相信号生成手段と、
該色相生成手段で生成された色相信号を調整することにより映像信号の色相を調整可能な色相調整手段と、
該色相調整手段で調整された色相信号を用いてＲＧＢ３原色信号を生成するための原色信号生成手段と、
該原色信号生成手段で生成されたＲＧＢ３原色信号のうち、少なくとも一つを調整可能な原色調整手段と、
を備えることを特徴とする画像表示装置。
【請求項１３】
請求項１２に記載の画像表示装置において、更に、表示画像の色調整をするための手段として、前記色相調整手段及び前記原色調整手段の少なくともいずれかを選択するための手段と、を備え、
前記色相調整手段及び前記原色調整手段のうち、前記選択された調整手段を用いて表示画像の色調整を可能としたことを特徴とする画像表示装置。
【請求項１４】
請求項１２または１３に記載の画像表示装置において、前記原色信号調整手段は、前記ＲＧＢ３原色信号の振幅、直流レベルを調整することを特徴とする画像表示装置。
【請求項１５】
画像表示装置において、
所望色相範囲にある映像信号について、その色相を調整可能な色相調整手段と、
前記所望色相範囲にある映像信号について、その彩度を調整可能な彩度調整手段と、
前記色相調整手段及び彩度調整手段で色相及び彩度が調整された信号について、赤、青、緑の各原色レベルを調整可能な原色調整手段と、
を備えることを特徴とする画像表示装置。
【請求項１６】
画像表示装置において、
映像信号から色相信号及び彩度信号を生成する第１信号生成手段と、
前記第１信号生成手段によって生成された色相信号を用いて、映像信号が所望色相範囲にあるかを判定する判定手段と、
前記判定手段によって映像信号が所望色相範囲にあると判定された場合に、その所望色相範囲にある色相信号を他の色相範囲にある色相信号とは独立して調整可能な第１調整手段と、
前記判定手段によって映像信号が所望色相範囲にあると判定された場合に、その所望色相範囲にある前記彩度信号を他の色相範囲にある彩度信号とは調整可能な第２調整手段と、
前記第１調整手段によって色相が調整された色相信号と、前記第２調整手段によって彩度が調整された彩度信号とを用いてＲＧＢ３原色信号を生成する第２信号生成手段と、
前記第２信号生成手段によって生成された前記ＲＧＢ３原色信号をそれぞれ個別に調整可能な第３調整手段と、
を備えることを特徴とする画像表示装置。
【請求項１７】
請求項１６に記載の画像表示装置において、更に、前記第１及び第２調整手段と、前記第３調整手段とのいずれかを選択可能な手段を備えたことを特徴とする画像表示装置。
【手続補正３】
【補正対象書類名】明細書
【補正対象項目名】０００１
【補正方法】変更
【補正の内容】
【０００１】
本発明は、画像表示装置において、色調整の技術に関する。
【手続補正４】
【補正対象書類名】明細書
【補正対象項目名】０００５
【補正方法】変更
【補正の内容】
【０００５】
本発明の目的は、好適に色調整を行うことができる技術を提供することにある。
【手続補正５】
【補正対象書類名】明細書
【補正対象項目名】０００６
【補正方法】変更
【補正の内容】
【０００６】
【課題を解決するための手段】
本発明は、画像表示装置において、映像信号の色相を調整可能な第１調整手段と、映像信号における赤、青、緑の原色レベルのうち、少なくとも一つを調整可能な第２調整手段と、表示画像の色調整をするための手段として、前記第１調整手段及び前記第２調整手段の少なくともいずれかを選択するための手段とを備え、前記第１調整手段及び前記第２調整手段のうち、前記選択された調整手段を用いて表示画像の色調整を可能としたことを特徴とする。
【手続補正６】
【補正対象書類名】明細書
【補正対象項目名】０００７
【補正方法】変更
【補正の内容】
【０００７】
また本発明は、画像表示装置において、映像信号から色相信号を生成するための色相信号生成手段と、前記色相信号生成手段によって生成された色相信号を用いて、映像信号が所望色相範囲にあるか判定する判定手段と、前記検出手段によって映像信号が所望色相範囲にあると判定された場合に、その所望色相範囲にある色相信号を調整可能な第１調整手段と、映像信号における赤、青、緑の各色のレベルを調整可能な第２調整手段とを備えることを特徴とする。
【手続補正７】
【補正対象書類名】明細書
【補正対象項目名】０００８
【補正方法】変更
【補正の内容】
【０００８】
また本発明は、画像表示装置において、映像信号から色相信号を生成するための色相信号生成手段と、該色相生成手段で生成された色相信号を調整することにより映像信号の色相を調整可能な色相調整手段と、該色相調整手段で調整された色相信号を用いてＲＧＢ３原色信号を生成するための原色信号生成手段と、該原色信号生成手段で生成されたＲＧＢ３原色信号のうち、少なくとも一つを調整可能な原色調整手段とを備えることを特徴とする。
【手続補正８】
【補正対象書類名】明細書
【補正対象項目名】０００９
【補正方法】変更
【補正の内容】
【０００９】
また本発明は、画像表示装置において、所望色相範囲にある映像信号について、その色相を調整可能な色相調整手段と、前記所望色相範囲にある映像信号について、その彩度を調整可能な彩度調整手段と、前記色相調整手段及び彩度調整手段で色相及び彩度が調整された信号について、赤、青、緑の各原色レベルを調整可能な原色調整手段とを備えることを特徴とする。
【手続補正９】
【補正対象書類名】明細書
【補正対象項目名】００１０
【補正方法】変更
【補正の内容】
【００１０】
また本発明は、画像表示装置において、映像信号から色相信号及び彩度信号を生成する第１信号生成手段と、前記第１信号生成手段によって生成された色相信号を用いて、映像信号が所望色相範囲にあるかを判定する判定手段と、前記判定手段によって映像信号が所望色相範囲にあると判定された場合に、その所望色相範囲にある色相信号を他の色相範囲にある色相信号とは独立して調整可能な第１調整手段と、前記判定手段によって映像信号が所望色相範囲にあると判定された場合に、その所望色相範囲にある前記彩度信号を他の色相範囲にある彩度信号とは調整可能な第２調整手段と、前記第１調整手段によって色相が調整された色相信号と、前記第２調整手段によって彩度が調整された彩度信号とを用いてＲＧＢ３原色信号を生成する第２信号生成手段と、前記第２信号生成手段によって生成された前記ＲＧＢ３原色信号をそれぞれ個別に調整可能な第３調整手段とを備えることを特徴とする。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００５３
【補正方法】変更
【補正の内容】
【００５３】
以上説明したように、本発明によれば、好適な色調整が可能となる。